(57)【要約】【課題】取り付けが簡単で強固な締結クリップを提供すること。【解決手段】本願は締結ピン１１０及び締結スリーブ１２０を備える締結クリップを提供する。締結ピンは締結スリーブに挿入することができ、締結スリーブは、ベース部３０１及び二対の保持ウイング３１１、３１２、３１３、３１４を有しており、二対の保持ウイングは、それぞれ、ベース部の下面から下方に延在し、二対の保持ウイングのうちの少なくとも一方の外面は、周方向に延在する隆起リブを有する。本願の締結クリップは、少なくとも２つのプレートを強固に締結することができる。【選択図】図１Ａ
2020204400.tif 000002
【特許請求の範囲】
【請求項１】
締結クリップにおいて、
頭部（１１１）と、該頭部（１１１）から下方に延在しその遠位端部が保持部（２４１）を形成するピン部（２１２）とを有する締結ピン（１１０）と、
ベース部（３０１）と、二対の保持ウイング（３１１、３１２、３１３、３１４）とを有する締結スリーブ（１２０）とを具備し、
二対の前記保持ウイング（３１１、３１２、３１３、３１４）の各々の対は互いに対向して配置され、前記ベース部（３０１）には穴（３０５）が設けられ、前記ピン部（２１２）が該穴（３０５）に着脱可能に挿入することができ、二対の前記保持ウイング（３１１、３１２、３１３、３１４）は、それぞれ、前記ベース部（３０１）の下面から下方に延在し、前記穴（３０５）の中心の周りに周方向に分布し、二対の前記保持ウイング（３１１、３１２、３１３、３１４）の各々の下部の内面は、内方に傾斜して、前記締結ピン（１１０）の前記保持部（２４１）と協働するクランプ部を形成する、締結スリーブとを備え、
二対の前記保持ウイング（３１１、３１２、３１３、３１４）の少なくとも一方の外面が、周方向に延在する少なくとも１つの隆起リブを有している締結クリップ。
【請求項２】
二対の前記保持ウイング（３１１、３１２、３１３、３１４）は、一対の第１の保持ウイング（３１１、３１３）と、一対の第２の保持ウイング（３１２、３１４）とを含み、一対の前記第１の保持ウイング（３１１、３１３）には、該一対の第１の保持ウイング（３１１、３１３）の上端部に隣接する隆起リブが設けられ、一対の前記第２の保持ウイング（３１２、３１４）には、該一対の第２の保持ウイング（３１２、３１４）の下端部に隣接する隆起リブが設けられている請求項１に記載の締結クリップ。
【請求項３】
一対の前記第１の保持ウイング（３１１、３１３）の前記上端部の前記隆起リブは、第１の厚さの少なくとも２つのプレートを該締結クリップによって互いに締結するように、前記第１の厚さの前記少なくとも２つのプレートに接触するように配置され、一対の前記第２の保持ウイング（３１２、３１４）の前記下端部の前記隆起リブは、第２の厚さの少なくとも２つのプレートを該締結クリップによって互いに締結するように、前記第２の厚さの前記少なくとも２つのプレートに接触するように配置される請求項２に記載の締結クリップ。
【請求項４】
二対の前記保持ウイング（３１１、３１２、３１３、３１４）の一対の前記第２の前記保持ウイングのクランプ部は、同じ径方向部分において、該一対の第２の保持ウイングのクランプ部の厚さが、一対の前記第１の保持ウイング（３１１、３１３）のクランプ部の厚さよりも小さくなるように設けられている請求項２に記載の締結クリップ。
【請求項５】
同じ径方向部分において、二対の前記保持ウイング（３１１、３１２、３１３、３１４）の一対の前記第１の保持ウイング（３１１、３１３）のクランプ部の外面間の距離は、一対の前記第２の保持ウイング（３１２、３１４）のクランプ部の外面間の距離よりも小さく、二対の前記保持ウイング（３１１、３１２、３１３、３１４）の一対の前記第１の保持ウイング（３１１、３１３）のクランプ部の内面間の距離は、一対の前記第２の保持ウイング（３１２、３１４）のクランプ部の内面間の距離よりも大きくなっている請求項３に記載の締結クリップ。
【請求項６】
前記保持部（２４１）に当接する爪が前記クランプ部の内面に設けられ、一対の前記第２の保持ウイング（３１２、３１４）の下端部の前記隆起リブは、前記爪の上方に位置いている請求項２に記載の締結クリップ。
【請求項７】
一対の前記第１の保持ウイング（３１１、３１３）の上端部の前記隆起リブは、前記ベース部（３０１）の下面から距離Ｄを有する請求項２に記載の締結クリップ。
【請求項８】
前記隆起リブは、下方かつ外方に傾斜した上側ベベルを有する請求項１に記載の締結クリップ。
【請求項９】
一対の前記第１の保持ウイング（３１１、３１３）及び一対の前記第２の保持ウイング（３１２、３１４）には、並んで配置された２つの隆起リブがそれぞれ設けられる請求項１に記載の締結クリップ。
【請求項１０】
ガイドリブが前記ピン部（２１２）の外面に配設され、ガイド溝が前記穴（３０５）に設けられており、前記ピン部（２１２）が前記穴（３０５）に挿入されたとき、前記ガイドリブが前記ガイド溝内に配置され、前記締結ピン（１１０）が前記締結スリーブ（１２０）に対して回転できなくなる請求項１に記載の締結クリップ。
【請求項１１】
一対の前記第１の保持ウイング（３１１、３１３）及び一対の前記第２の保持ウイング（３１２、３１４）には、並んで配置された複数の隆起リブがそれぞれ設けられる請求項２に記載の締結クリップ。
【請求項１２】
一対の前記第１の保持ウイング（３１１、３１３）の前記複数の隆起リブ、及び一対の前記第２の保持ウイング（３１２、３１４）の前記複数の隆起リブは、前記締結クリップの軸方向に均等に分布する請求項１１に記載の締結クリップ。
【発明の詳細な説明】
【技術分野】
【０００１】
本願は、締結クリップ、特に、２つ以上のプレートを締結する締結クリップに関する。
【背景技術】
【０００２】
産業用途において、例えば、自動車産業において、２つ以上のプレートをしっかりと結合するために締結クリップを用いることが望ましい場合がある。解決策のうちの１つは、結合するプレートに穴を開け、該結合するプレートの穴に締結クリップを挿入することである。締結クリップは弾性固定要素を有する。弾性固定要素は、結合するプレートに挿入される前は収縮状態である。結合するプレートに完全に挿入されると、弾性固定要素は、外方に拡張してプレートに当接し、それにより、２つ以上のプレートがしっかりと結合される。
【発明の概要】
【０００３】
本願は、取り付けが簡単で強固な締結クリップを提供する。
該締結クリップは、
頭部と、該頭部から下方に延設され遠位端部に保持部が形成されたピン部とを有する締結ピンと、
ベース部及び二対の保持ウイングを有する締結スリーブとを具備する。二対の前記保持ウイングの各々は互いに対向して配置され、前記ベース部に穴が形成されており、前記ピン部は前記穴に着脱可能に挿入することができ、二対の前記保持ウイングは、それぞれ、前記ベース部の下面から下方に延在し、前記穴の中心の周りに周方向に分布し、二対の前記保持ウイングの各々の下部の内面が内方に傾斜して、前記締結ピンの前記保持部と協働するクランプ部を形成する。二対の前記保持ウイングの少なくとも一方の外面は周方向に延在する隆起リブを有する。
【０００４】
この締結クリップによれば、二対の前記保持ウイングは、一対の第１の保持ウイング及び一対の第２の保持ウイングを含み、一対の前記第１の保持ウイングには、該一対の第１の保持ウイングの上端部に隣接する隆起リブが設けられ、一対の前記第２の保持ウイングには、該一対の第２の保持ウイングの下端部に隣接する隆起リブが設けられる。
【０００５】
この締結クリップによれば、一対の前記第１の保持ウイングの上端部の前記隆起リブは、第１の厚さの少なくとも２つのプレートを該締結クリップによって互いに締結するように、前記第１の厚さの前記少なくとも２つのプレートに接触するように配置され、一対の前記第２の保持ウイングの下端部の前記隆起リブは、第２の厚さの少なくとも２つのプレートを該締結クリップによって互いに締結するように、前記第２の厚さの前記少なくとも２つのプレートに接触するように配置される。
【０００６】
この締結クリップによれば、二対の前記保持ウイングの一対の第２の前記クランプ部は、同じ径方向部分において、一対の前記第２の保持ウイングのクランプ部の厚さが、一対の前記第１の保持ウイングのクランプ部の厚さよりも小さくなるように設けられる。
【０００７】
この締結クリップによれば、同じ径方向部分において、二対の前記保持ウイングのうちの一対の前記第１の保持ウイングのクランプ部の外面間の距離は、一対の前記第２の保持ウイングのクランプ部の外面間の距離よりも小さく、二対の前記保持ウイングのうちの一対の前記第１の保持ウイングのクランプ部の内面間の距離は、一対の前記第２の保持ウイングのクランプ部の内面間の距離よりも大きい。
【０００８】
この締結クリップによれば、前記クランプ部の内面に、前記保持部に当接する爪が設けられ、一対の前記第２の保持ウイングの下端部の前記隆起リブは、前記爪の上方に位置する。
【０００９】
この締結クリップによれば、一対の前記第１の保持ウイングの上端部の前記隆起リブは、前記ベース部の前記下面から距離Ｄを有する。
【００１０】
この締結クリップによれば、前記隆起リブは下方かつ外方に傾斜した上側ベベルを有する。
【００１１】
この締結クリップによれば、隆起リブは並んで配置された２つの隆起リブを含む。
【００１２】
この締結クリップによれば、前記ピン部の外面にガイドリブが配置され、前記穴にガイド溝が設けられており、前記ピン部が前記穴に挿入されると、前記ガイドリブが前記ガイド溝内に配置され、前記締結ピンが前記締結スリーブに対して回転できなくなる。
【００１３】
本願の締結クリップは、異なる厚さのプレートに適合することができる。そのため、締結クリップが第１の厚さの少なくとも２つの薄いプレートをクランプする場合、２つのプレートのぐらつきを防ぐために、少なくとも２つのプレートに対する締結クリップの締結力を向上させる。第２の厚さの少なくとも２つの厚いプレートを該締結クリップによって締結する場合、比較的小さな挿入力でありながら、要件を満たす締結力が保証される。
【図面の簡単な説明】
【００１４】
【図１Ａ】本願に係る締結クリップの斜視図である。
【図１Ｂ】図１Ａの締結クリップの分解図である。
【図２Ａ】図１Ｂの締結ピンの斜視図である。
【図２Ｂ】図１Ｂの締結ピンの底面図である。
【図２Ｃ】図２Ｂの線Ａ−Ａに沿った締結ピンの断面図である。
【図２Ｄ】図２Ｂの線Ｂ−Ｂに沿った締結ピンの断面図である。
【図３Ａ】図１Ｂの締結スリーブの斜視図である。
【図３Ｂ】図１Ｂの締結スリーブの上面図である。
【図３Ｃ】図３Ｂの線Ｄ−Ｄに沿った締結スリーブの断面図である。
【図３Ｄ】図３Ｂの線Ｅ−Ｅに沿った締結スリーブの断面図である。
【図３Ｅ】図３Ｄの線Ｆ−Ｆに沿った締結スリーブの断面図である。
【図４】第１の厚さ（総厚）の２つのプレートの斜視図である。
【図５Ａ】締結クリップが準備位置において第１の厚さの２つのプレートに挿入されているところを示す径方向断面図である。
【図５Ｂ】機能位置における締結クリップと第１の厚さの２つのプレートとの間の関係を示す概略断面図である。
【図６】第２の厚さの２つのプレートの斜視図である。
【図７Ａ】締結クリップが準備位置において第２の厚さの２つのプレートに挿入されているところを示す径方向断面図である。
【図７Ｂ】機能位置における締結クリップと第２の厚さの２つのプレートとの間の関係を示す概略断面図である。
【図８】本願の別の実施形態に係る締結クリップの斜視図である。
【発明を実施するための形態】
【００１５】
本発明の種々の特定の実施形態を、本明細書の一部をなす添付図面を参照して以下に説明する。本願において方向を示す「前」、「後」、「上」、「下」、「左」、及び「右」等の用語が、本願における種々の例示的な構造部及び要素を説明するために用いられているが、本明細書において用いられるこれらの用語は、単に説明を容易にするために用いられ、添付図面に示す例示的な向きに基づいて決定されていることを理解すべきである。本願に開示されている実施形態は、異なる方向で配置することができるため、方向を示すこれらの用語は、例示にすぎず、限定とみなすべきではない。可能な場合、本願において用いられる同一のまたは同様の参照符号は、同じ構成要素を指す。
【００１６】
図１Ａは、本願に係る締結クリップの斜視図であり、図１Ｂは、図１Ａの締結クリップの分解図である。図１Ａ、１Ｂに示すように、締結クリップ１００は、２つ以上の重ねられたプレートを締結するのに用いられる。締結クリップ１００は、締結ピン１１０及び締結スリーブ１２０を備える。締結クリップ１００は中心軸Ｃを有する。締結ピン１１０は、締結スリーブ１２０に挿入し、中心軸の方向に締結スリーブ１２０に対して動かすことができる。締結クリップ１００は、準備位置及び機能位置を有する。図１Ａは、締結クリップ１００の準備位置を示している。締結ピン１１０は、締結スリーブ１２０に向かって連続的に押され、締結クリップ１００の機能位置に達する。締結クリップ１００の準備位置において、締結クリップ１００を、締結される少なくとも２つのプレートの穴に挿入することができる。締結クリップ１００の機能位置において、締結クリップ１００は、少なくとも２つのプレートを締結する。締結ピン１１０及び締結スリーブ１２０の構造及び動作プロセスは、以下に詳細に説明する。
【００１７】
図２Ａは、図１Ｂの締結ピンの斜視図であり、図２Ｂは、図１Ｂの締結ピンの底面図であり、図２Ｃは、図２Ｂの線Ａ−Ａに沿った締結ピンの断面図であり、図２Ｄは、図２Ｂの線Ｂ−Ｂに沿った締結ピンの断面図である。図２Ａ〜図２Ｄに示すように、締結ピン１１０は、頭部２１１及びピン部２１２を有する。頭部２１１は、実質的に円盤形状であり、上面２１５及び下面２１６を有し、ピン部２１２は、頭部２１１の下面２１６から下方に延在する。頭部２１１の外径は、ピン部２１２の外径よりも大きく、それにより、締結ピン１１０は、実質的に開いた傘の形状になっている。
【００１８】
図２Ａ〜図２Ｃに示すように、ピン部２１２は、上側部分２３０及び下側部分２４０を有し、上側部分２３０は頭部２１１に接続され、下側部分２４０はピン部２１２の遠位端部に位置する。下側部分２４０は、保持部２４１及び締結ピンガイド部２４２を有し、保持部２４１は外面から内側に凹んだ溝２４５を有する。溝２４５は、溝底部２４７と、上側側壁２４８と、下側側壁２４９とを有し、上側側壁２４８は、溝底部２４７から斜め上方かつ外方に延在し、上側側壁２４８と溝底部２４７との間の挟角は、鈍角になっている。下側側壁２４９は、溝底部２４７に対して垂直に外方に延在し、下側側壁２４９と溝底部２４７との間の挟角は直角になっている。締結ピンガイド部２４２は下側部分２４０の遠位端部に位置し、締結ピンガイド部２４２の外面は上から下に内方に傾斜し、倒立円錐構造を形成する。締結ピンガイド部２４２は、締結スリーブ１２０への締結ピン１１０の挿入をガイドするのに用いられる。図２Ａ〜図２Ｃを参照すると、上側部分２３０は、中心柱２５８と、４つのガイドリブ２５１、２５２、２５３、２５４とを有し、４つのガイドリブ２５１、２５２、２５３、２５４は、締結スリーブ１２０と協働して、締結ピン１１０が締結スリーブ１２０に対して回転するのを防ぐのに用いられる。４つのガイドリブ２５１、２５２、２５３、２５４は、上側部分２３０の軸方向にそれぞれ延在する。４つのガイドリブ２５１、２５２、２５３、２５４は、それぞれ、中心柱の外面から外方に突出し、締結クリップ１００の中心軸Ｃに沿って周方向に分布する。ガイドリブ２５２、２５３、２５４は、同じ構造を有し、実質的に細長く、ガイドリブ２５２、２５３、２５４の各々の外面から中心軸Ｃまでの距離は、ピン部２１２の下側部分２４０の外面から中心軸までの距離よりも大きい。ガイドリブ２５２、２５３、２５４の下部の各々の外面は、上から下に内方に傾斜して移行部２５７を形成し、移行部２５７は、ピン部２１２の下側部分２４０に接続される。ガイドリブ２５１は、上部２６２及び下部２６３を有する。上部２６３は、隆起部２６５及び空洞部２６６を有し、隆起部２６５は、外方に突出する。空洞部２６６は、隆起部２６５内に位置する。空洞部２６６は、上部２６３の或る程度の変形を可能にする。隆起部２６５の外面に外力が印加されると、隆起部２６５は、空洞部２６６を押し出すことによって内方に収縮することができる。下部２６３は、上側部分２３０と下側部分２４０との接合部から上方かつ外方に延在し、弾性アーム２６９を形成する。弾性アーム２６９は、締結ピン１１０が締結スリーブ１２０から抜け落ちることを防ぐために用いられる。弾性アーム２６９の上端部は、鉛直上方に延在し、弾性アーム２６９の上端部の頂面は、接触面２６８を形成する。
【００１９】
図３Ａは、締結スリーブ１２０の斜視図であり、図３Ｂは、図３Ａの締結スリーブ１２０の上面図である。図３Ａ、３Ｂに示すように、締結スリーブ１２０は、ベース部３０１及び二対の保持ウイング３１１、３１２、３１３、３１４を有し、ベース部３０１は、実質的に円盤形状であり、上面３０２及び下面３０３を有する。二対の保持ウイング３１１、３１２、３１３、３１４は、ベース部３０１の下面３０３から下方に延在することによって形成される。ベース部３０１の中心は、締結ピン１１０を挿入するためにベース部の上面３０２及び下面３０３を貫通する穴３０５を有する。穴３０５の中心は、締結クリップ１００の中心軸Ｃ上に位置する。穴３０５は、中央部３０７と、中央部３０７の周りに外方に突出する４つの隆起部３２１とを有し、４つの隆起部３２１は、４つのガイド溝３２３を形成し、ガイド溝３２３は、締結ピン１１０の４つのガイドリブ２５１、２５２、２５３、２５４を収納するために、穴３０５の中心に沿って周方向に分布している。４つのガイド溝３２３の形状は、４つのガイドリブ２５１、２５２、２５３、２５４の形状に合致する。４つのガイドリブ２５１、２５２、２５３、２５４が４つのガイド溝３２３にそれぞれ挿入された後、締結ピン１１０は、締結スリーブ１２０に対して回転できなくなる。ベース部３０１の上面３０２は、対向する一対の凹部３５１、３５２を更に有し、凹部３５１、３５２は、穴３０５の縁部から外方かつ下方に傾斜することによって形成される。締結クリップ１００が機能位置に達すると、締結ピン１１０の頭部２１１の下面２１６は、ベース部３０１の上面３０２に近接し、凹部３５１、３５２は、締結ピン１１０の頭部２１１の下面２１６とベース部３０１の上面３０２との間の動作空間により、締結ピン１１０を引き抜くように工具をその動作空間に挿入することを容易にすることができる。締結クリップ１００を締結されたプレートから取り外すことが必要となる場合、動作工具を、締結スリーブ１２０の凹部３５１、３５２と、締結ピン１１０の頭部２１１の下面２１６との間の動作空間に挿入し、締結ピン１１０を上方に引き抜く。そうすると、締結クリップ１００は、準備位置に戻り、それにより、締結クリップ１００を取り外すことができる。締結スリーブ１２０の二対の保持ウイング３１１、３１２、３１３、３１４は、或る程度の弾性を有する材料から作製され、そのため、締結スリーブ１２０は、或る程度変形することができる。
【００２０】
二対の保持ウイング３１１、３１２、３１３、３１４は、一対の第１の保持ウイング３１１、３１３及び一対の第２の保持ウイング３１２、３１４を含む。一対の第１の保持ウイング３１１、３１３は、同じ構造を有し、締結クリップ１００の中心軸Ｃに対して対称的な配置になっている。一対の第１の保持ウイング３１１、３１３の中心線の接続線は、中心軸を通る。同様に、一対の第２の保持ウイング３１２、３１４は、同じ構造を有し、中心軸に対して対称的な配置になっている。一対の第２の保持ウイング３１２、３１４の中心線の接続線は、中心軸を通る。二対の保持ウイング３１１、３１２、３１３、３１４は、締結クリップ１００の中心軸Ｃの周りに均等に分布し、すなわち、一対の第１の保持ウイング３１１、３１３の中心線の接続線は、一対の第２の保持ウイング３１２、３１４の中心線の接続線に対して垂直である。
【００２１】
図３Ｃは、図３Ｂの線Ｄ−Ｄに沿った断面図であり、一対の第１の保持ウイング３１１、３１３の構造を示している。保持ウイング３１１、３１３は対称構造を有するため、一対の第１の保持ウイング３１１、３１３の具体的な構造は、保持ウイング３１１を例として以下に説明する。図３Ａ、３Ｃに示すように、保持ウイング３１１は、保持ウイング上部３４１ａ及び保持ウイング下部３４２ａを有し、保持ウイング上部３４１ａは、ベース部３０１の下面３０３に接続され、保持ウイング下部３４２ａは、保持ウイング３１１の遠位端部に位置する。保持ウイング上部３４１ａは、ベース部３０１の下面３０３から下方に延在し、ベース部３０１に対して実質的に垂直である。保持ウイング上部３４１ａの外面３７１ａは、周方向に延在する２つの隆起リブ３２７ｅ、３２７ｆを有し、２つの隆起リブ３２７ｅ、３２７ｆは、ベース部３０１に近い保持ウイング上部３４１ａの端部に、すなわち、保持ウイング上部３４１ａのベース部３０１に対する近位端部に位置する。隆起リブ３２７ｅは、隆起リブ３２７ｆの上方に位置する。他の実施形態において、１つ以上の隆起リブも存在し得る。隆起リブ３２７ｅは、上から下に連続して上側底部３３２ｅ及び頂部３３１ｅを有し、隆起リブ３２７ｅは、上側底部３３２ｅから頂部３３１ｅに滑らかに移行して、上側ベベル３２８ｅを形成する。上側ベベル３２８ｅは、第１の厚さの少なくとも２つのプレートに当接するように用いられる。隆起リブ３２７ｅの上側底部３３２ｅは、ベース部３０１の下面３０３から距離Ｄを有し、距離Ｄは、２つのプレートの総厚よりも大きくならないように設定される。同様に、隆起リブ３２７ｅの下の隆起リブ３２７ｆも上側ベベル３２８ｆを有する。
【００２２】
保持ウイング下部３４２ａの少なくとも一部の厚さは、保持ウイング上部３４１ａの厚さよりも大きい。保持ウイング下部３４２ａの下部の外面３４６ａは、上から下に内方に傾斜して、倒立円錐形の締結スリーブガイド部３４８ａを形成する。締結スリーブガイド部３４８ａは、締結クリップ１００を締結される２つ以上のプレート（図示せず）に挿入するガイドのために用いられる。保持ウイング下部３４２ａの下部の内面３４５ａは、上から下に内方に傾斜してクランプ部３２２ａを形成する。クランプ部３２２ａは、保持部２４１と協働するように用いられる。爪３６１ａが、クランプ部３２２の内面の下部に形成され、爪３６１ａは、締結ピン１１０の保持部２４１の溝２４５に入ることができる。
【００２３】
保持ウイング３１１と同様に、保持ウイング３１３は、保持ウイング上部３４１ｂ及び保持ウイング下部３４２ｂを有する。保持ウイング上部３４１ｂの外面３７１ｂも、２つの隆起リブ３２７ｇ、３２７ｈを有する。隆起リブ３２７ｇは、隆起リブ３２７ｈの上方に位置し、隆起リブ３２７ｇは、隆起リブ３２７ｅに対して対称であり、隆起リブ３２７ｈは、隆起リブ３２７ｆに対して対称である。隆起リブ３２７ｇは、上側ベベル３２８ｇ及び頂部３３１ｇを有し、隆起リブ３２７ｈは、上側ベベル３２８ｈ及び頂部３３１ｈを有する。保持ウイング下部３４２ｂの外面３４６ｂは、締結スリーブガイド部３４８ｂを有する。保持ウイング下部３４２ｂの内面３４５ｂはクランプ部３２２ｂを有し、爪３６１ｂはクランプ部３２２ｂの内面の下部に形成される。
【００２４】
図３Ｄは、図３Ｂの線Ｅ−Ｅに沿った断面図であり、一対の第２の保持ウイング３１２、３１４の構造を示している。保持ウイング３１２、３１４は対称構造を有するため、一対の第２の保持ウイング３１２、３１４の具体的な構造は、保持ウイング３１２を例として以下に説明する。図３Ａ、３Ｄに示すように、一対の第１の保持ウイング３１１、３１３と同様に、保持ウイング３１２は、保持ウイング上部３４１ｃ及び保持ウイング下部３４２ｃを有し、保持ウイング上部３４１ｃは、ベース部３０１の下面３０３に接続される。保持ウイング下部３４２ｃは、保持ウイング３１２の遠位端部に位置する。保持ウイング上部３４１ｃは、ベース部３０１の下面３０３から下方に延在し、ベース部３０１に対して実質的に垂直である。
【００２５】
保持ウイング下部３４２ｃの少なくとも一部の厚さは、保持ウイング上部３４１ｃの厚さよりも小さくない。保持ウイング下部３４２ｃの下部の外面３４６ｃは、上から下に内方に傾斜して、倒立円錐形の締結スリーブガイド部３４８ｃを形成する。締結スリーブガイド部３４８ｃは、締結クリップ１００を締結されるプレート（図示せず）に挿入するガイドのために用いられる。保持ウイング下部３４２ｃの下部の内面３４５ｃは、上から下に内方に傾斜してクランプ部３３２ｃを形成する。クランプ部３３２ｃは、保持部２４１と協働するように用いられる。爪３６１ｃが、クランプ部３３２ｃの内面の下部に形成され、爪３６１ｃは、締結ピン１１０の保持部２４１の溝２４５に入ることができる。
【００２６】
保持ウイング３１２の外面３７１ｃは、周方向に延在する２つの隆起リブ３３７ｅ、３３７ｆを有し、２つの隆起リブ３３７ｅ、３３７ｆは、保持ウイング上部３４１ｃに近い保持ウイング下部３４２ｃの端部に位置する。すなわち、隆起リブ３３７ｅは、保持ウイング上部３４１ｃと保持ウイング下部３４２ｃとの接合部の近くにある。２つの隆起リブ３３７ｅ、３３７ｆは、爪３６１ｃよりも高くなるように設けられる。同様に、２つの隆起リブ３３７ｅ、３３７ｆは、頂部３３３ｅ、３３３ｆ及び上側ベベル３２９ｅ、３２９ｆをそれぞれ有し、上側ベベル３２９ｅ、３２９ｆは、第２の厚さの少なくとも２つのプレートに当接するように用いられる。
【００２７】
保持ウイング３１２と同様に、保持ウイング３１４は、保持ウイング上部３４１ｄ及び保持ウイング下部３４２ｄを有する。保持ウイング下部３４２ｄの外面３７１ｄも、２つの隆起リブ３３７ｇ、３３７ｈを有する。隆起リブ３３７ｇは、隆起リブ３３７ｈの上方に位置し、隆起リブ３３７ｇは、隆起リブ３３７ｅに対して対称であり、隆起リブ３３７ｈは、隆起リブ３３７ｆに対して対称である。隆起リブ３３７ｇは、上側ベベル３２９ｇ及び頂部３３３ｇを有し、隆起リブ３３７ｈは、上側ベベル３２９ｈ及び頂部３３３ｈを有する。保持ウイング下部３４２ｂの外面３４６ｄは、締結スリーブガイド部３４８ｄを有する。保持ウイング下部３４２ｄの内面３４５ｄは、クランプ部３２２ｄを有し、爪３６１ｄがクランプ部３２２ｄの内面の下部に形成される。
【００２８】
二対の保持ウイング３１１、３１２、３１３、３１４の締結スリーブガイド部３４８ａ、３４８ｂ、３４８ｃ、３４８ｄは、上から下に徐々に縮径する倒立円錐構造をともに形成し、締結ピン１１０が締結スリーブ１２０に挿入され、締結クリップ１００の準備位置に達するのをガイドするために用いられる。締結クリップ１００の準備位置において、締結スリーブ１２０の爪３６１ａ、３６１ｂ、３６１ｃ、３６１ｄは、締結ピン１１０の保持部２４１の上に位置する。
【００２９】
保持ウイング３１２の保持ウイング下部３４２ｃの少なくとも一部の厚さは、保持ウイング３１１の保持ウイング下部３４２ａの対応する部分の厚さよりも大きい。すなわち、締結スリーブ１２０の下部のいくつかの径方向部分において、一対の第１の保持ウイング３１１、３１３の厚さは、一対の第２の保持ウイング３１２、３１４の厚さよりも小さい。図３Ｅは、図３Ｄの線Ｆ−Ｆに沿った、下から上に見た断面図である。図３Ｅに示すように、一対の第１の保持ウイング３１１、３１３のクランプ部３２２ａ、３２２ｂの内面が位置する場所の円周の直径は、一対の第２の保持ウイング３１２、３１４の内面が位置する場所の円周の直径よりも大きく、一対の第１の保持ウイング３１１、３１３のクランプ部３２２ｃ、３２２ｄの外面が位置する場所の円周の直径は、一対の第２の保持ウイング３１２、３１４の外面が位置する場所の円周の直径よりも小さい。すなわち、図３Ｅに示す断面図では、一対の第１の保持ウイング３１１、３１３のクランプ部３２２ａ、３２２ｂの外面間の距離は、一対の第２の保持ウイング３１２、３１４のクランプ部３２２ｃ、３２２ｄの外面間の距離よりも小さく、二対の保持ウイング３１１、３１２、３１３、３１４における一対の第１の保持ウイング３１１、３１３のクランプ部の内面間の距離は、一対の第２の保持ウイング３１２、３１４のクランプ部の内面間の距離よりも大きい。換言すれば、一対の第２の保持ウイング３１２、３１４のクランプ部と比較して、一対の第１の保持ウイング３１１、３１３のクランプ部は、内面及び外面からそれぞれ薄くなっている。
【００３０】
図１Ａを参照すると、締結クリップ１００の準備位置において、締結ピン１１０のピン部２１２は、締結スリーブ１２０に部分的に挿入され、保持部２４１は、クランプ部３２２ａ、３２２ｂ、３２２ｃ、３２２ｄの上に位置する。二対の保持ウイング３１１、３１２、３１３、３１４の各保持ウイング上部によって包囲される円筒形空間の直径は、保持部２４１の外径よりも小さくない。そのため、保持部２４１は、二対の保持ウイング３１１、３１２、３１３、３１４の内面に近接し、或いは、二対の保持ウイング３１１、３１２、３１３、３１４の内面から或る特定の隙間を有する。二対の保持ウイング３１１、３１２、３１３、３１４は、自由状態であり、外力によって締め付けられていない。同時に、締結ピン１１０の弾性アーム２６９の接触面２６８は、ベース部３０１の下面に当接し、それにより、締結ピン１１０が締結スリーブ１２０から滑り出すことを防ぐ。締結クリップ１００は、使用前に準備位置に保持される。
【００３１】
図４は、第１の厚さ（総厚）の２つのプレートを示している。図４に示すように、第１と第２のプレート４０１、４０２の合計の厚さが第１の厚さである。第１の厚さの第１と第２のプレート４０１、４０２は、一対の第１の保持ウイング３１１、３１３上の隆起リブと協働して、第１と第２のプレート４０１、４０２における締結クリップ１００の締結を強化する。第１と第２のプレート４０１、４０２は、穴４１１、４１２をそれぞれ有する。プレート４０１、４０２を締結する必要がある場合、まず、穴４１１を穴４１２に位置合わせし、次に、図１Ａの締結クリップ１００を穴４１１、４１２に挿入し、締結ピン１１０を押し下げて、プレート４０１、４０２を締結する。穴４１１、４１２の直径は、図１Ａに示す準備位置における締結クリップ１００の締結スリーブ１２０の外径と等しいか、或いは、それよりも僅かに大きくなるように設定される。そのため、締結クリップ１００は、穴４１１、４１２に容易に挿入することができる。下側の第２のプレート４０２の穴４１２は、締結クリップ１００のサイズと一致し、そのため、締結クリップ１００が機能位置にある場合、締結スリーブ１２０は、穴４１２の下縁部４１９に当接して、第１と第２のプレート４０１、４０２を締結することができる。
【００３２】
図５Ａは、第１の厚さの２つのプレートに収まった、準備位置における締結クリップ１００の断面図を示している。図５Ａに示すように、締結クリップ１００は、第１のプレート４０１の穴４１１及び第２のプレート４０２の穴４１２に挿入され、第１のプレート４０１の上面は、ベース部３０１の下面３０３に接触する。このとき、締結クリップ１００は準備位置にあり、そのため、締結クリップ１００を第２のプレートの穴４１２に容易に摺動させることができる。またこのとき、第１と第２のプレート４０１、４０２は締結されていない。
【００３３】
図５Ｂは、機能位置における締結クリップ１００と第１の厚さの２つのプレートとの間の関係の断面図を示している。図５Ｂに示すように、締結ピン１１０の頭部２１１の下面２１６は、締結スリーブ１２０のベース部３０１の上面３０２に近接する。このとき、クランプ部３２２ａ、３２２ｂ、３２２ｃ、３２２ｄは、外方に拡張し、それにより、各保持ウイングの外面は、第２のプレート４０２の穴４１２の下縁部４１９に接触し、下縁部４１９に当接する。従って、第１と第２のプレート４０１、４０２が締結される。締結クリップ１００の機能位置において、締結スリーブ１２０の爪３６１ａ、３６１ｂ、３６１ｃ、３６１ｄは、締結ピン１１０の保持部２４１の溝２４５に入り、溝底部２４７に当接する。締結ピン１１０が締結スリーブ１２０に対して上方に動こうとするとき、溝２４５の下側側壁２４９は、爪３６１ａ、３６１ｂ、３６１ｃ、３６１ｄが溝２４５から抜け落ちることを防ぐことができ、それにより、締結クリップ１００は機能位置に維持される。
【００３４】
締結クリップ１００が図５Ａに示す準備位置から図５Ｂに示す機能位置まで変化する間、操作者は締結ピン１１０を押し下げ、それにより、保持部２４１が、内方に傾斜したクランプ部３２２のベベルに接触し、保持部２４１がクランプ部３２２ａ、３２２ｂ、３２２ｃ、３２２ｄを外方に押し、二対の保持ウイング３１１、３１２、３１３、３１４のそれぞれが変形し、二対の保持ウイング３１１、３１２、３１３、３１４の各保持ウイング上部の外面が外方に傾斜する。締結ピン１１０が機能位置に達すると、二対の保持ウイング３１１、３１２、３１３、３１４の保持ウイング上部３４１ａ、３４１ｂ、３４１ｃ、３４１ｄの各々の外面は、第２のプレート４０２の穴４１２の下縁部４１９に当接し、それにより、第１と第２のプレート４０１、４０２を押して、第１と第２のプレート４０１、４０２を締結する。
【００３５】
図５Ａ、５Ｂにおいて、締結される少なくとも２つのプレートの総厚は、第１の厚さであり、第１の厚さの少なくとも２つのプレートは、締結クリップ１００をプレートに、一対の第１の保持ウイング３１１、３１３の隆起リブ３２７ｅ、３２７ｆ、３２７ｇ、３２７ｈを通して締結する締結力を増大させる。図５Ｂは、機能位置における締結クリップ１００と第１と第２のプレート４０１、４０２との間の関係を示している。図５Ｂに示すように、締結クリップ１００が穴４０１及び穴４１２に挿入され、機能位置に達すると、図５Ａに示す第２のプレート４０２の重なり部分５０１と、二対の保持ウイング３１１、３１２、３１３、３１４のそれぞれとが、変形して穴４１２に入り、それにより、二対の保持ウイング３１１、３１２、３１３、３１４のそれぞれが、第２のプレート４０２に対して或る特定の作用力を印加し、第２のプレート４０２及び第１のプレート４０１を押す。隆起リブのない締結クリップでは、第１の厚さの第１と第２のプレート４０１、４０２は、比較的薄く、重なり部分５０１は、ベース部３０１に近接する二対の保持ウイング３１１、３１２、３１３、３１４の保持ウイング上部３４１ａ、３４１ｂ、３４１ｃ、３４１ｄの端部に位置する。保持ウイング上部３４１ａ、３４１ｂ、３４１ｃ、３４１ｄが比較的薄く、重なり部分５０１が小さいために、二対の保持ウイング３１１、３１２、３１３、３１４の各々の、穴４１２に近い部分は、容易に変形し、すなわち、各保持ウイングの変形によって生じる作用力が小さい。締結クリップが機能位置に達した後、二対の保持ウイング３１１、３１２、３１３、３１４の各々の、第２のプレート４０２より下の部分を、穴４１２の下縁部４１９によって穴４１２内に押し出すと、第１と第２のプレート４０１、４０２が緩む。本願の一実施形態において、一対の第１の保持ウイング３１１、３１３の外面は、隆起リブ３２７ｅ、３２７ｆ、３２７ｇ、３２７ｈを有し、一対の第１の保持ウイング３１１、３１３の外面と第２のプレート４０２の穴４１２の下縁部４１９との接触点が、隆起リブ３２７ｅ、３２７ｇの上側ベベル３２８ｅ、３２８ｇに位置するようになっている。隆起リブのない締結クリップと比較すると、隆起リブ３２７ｅ、３２７ｇの頂部３３１ｅ、３３１ｇが第２のプレート４０２の穴４１２の下縁部４１９を外方に越えることから、隆起リブを有する締結クリップは、頂部３３１ｅ、３３１ｆを穴４１２内に押し出すのにより大きな外力が必要となり、それにより、第１と第２のプレート４０１、４０２は、比較的緩みにくくなる。すなわち、締結クリップ１００は、第１と第２のプレート４０１、４０２をより強固に締結する。
【００３６】
締結ピン１１０を機能位置に達するまで締結スリーブ１２０に挿入する場合、印加される外力は、二対の保持ウイング３１１、３１２、３１３、３１４の変形によって生じる作用力に打ち勝つ必要があり、一対の第１の保持ウイング３１１、３１３に設けられた隆起リブ３２７ｅ、３２７ｆは、一対の第１の保持ウイング３１１、３１３の変形を僅かに増大させ、そのため、隆起リブ３２７ｅ、３２７ｆは、締結クリップ１００の挿入力を僅かに増大させる。すなわち、締結クリップ１００が第１の厚さの２つのプレートに対する締結力を有意に増大させながら、締結クリップ１００の挿入力は僅かにしか増大しない。
【００３７】
本願の一実施形態において、第１の厚さの少なくとも２つのプレートに対する隆起リブは、一対の第１の保持ウイング３１１、３１３に設けられるが、一対の第２の保持ウイング３１２、３１４の外面も、穴４１２の下縁部４１９に当接し、締結クリップ１００の締結力にも寄与する。別の実施形態において、第１の厚さの少なくとも２つのプレートに対する隆起リブは、一対の第２の保持ウイング３１２、３１４に設けることもできる。
【００３８】
図５Ａ、５Ｂに示す実施形態において、締結されるプレートにおける第２のプレート４０２の穴４１２の下縁部４１９は、上側隆起リブ３２７ｅ、３２７ｇのベベル３２８ｅ、３２８ｇに当接し、第１と第２のプレート４０１、４０２の総厚よりも僅かに厚い締結されるプレートは、下側隆起リブ３２７ｆ、３２７ｈのベベル３２８ｆ、３２８ｈに当接して、同様の技術的効果を達成することもできる。本願の別の実施形態において、締結される２つのプレートの総厚は、下側隆起リブからベース部３０１の下面３０３までの距離よりも大きく、それにより、プレートは、隆起リブのベベルにちょうど当接することはできないが、隆起リブ３２７ｅ、３２７ｇの頂部３３１ｅ、３３２ｇ、または、隆起リブ３２７ｆ、３２７ｈの頂部３３１ｆ、３３１ｈは、穴４１２の内面に当接する。隆起リブのない締結クリップと比較すると、一対の第１の保持ウイング３１１、３１３の変形はより大きく、より大きな締結力をもたらすこともできるため、２つの締結されたプレートが緩んで抜け落ちる可能性が少なくなる。第１の厚さの少なくとも２つのプレートが締結されると、締結クリップ１００の二対の保持ウイングは、協働して締結力をもたらすが、一対の第１の保持ウイング３１１、３１３は、一対の第２の保持ウイング３１２、３１４よりも大きな締結力をもたらす。
【００３９】
図６は、第２の厚さ（総厚）の２つのプレートを示している。図６に示すように、第１と第２のプレート６０１、６０２の合計の厚さが第２の厚さである。第２の厚さの第１と第２のプレート６０１、６０２は、一対の第２の保持ウイング３１２、３１４上の隆起リブ３３７ｅ、３３７ｆ、３３７ｇ、３３７ｈと協働して、第１と第２のプレート６０１、６０２における締結クリップ１００の締結を強化する。第１と第２のプレート６０１、６０２は、穴６１１、６１２をそれぞれ有する。プレート６０１、６０２を締結する必要がある場合、まず、穴６１１を穴６１２に位置合わせし、次に、図１Ａの準備位置にある締結クリップ１００を穴６１１、６１２に挿入し、締結ピン１１０を押し下げて、プレート６０１、６０２を締結する。穴６１１、６１２の直径は、図１Ａに示す準備位置における締結スリーブ１２０の外径と等しいか、或いは、それよりも僅かに大きくなるように設定される。そのため、締結クリップ１００は、穴４１１、４１２に容易に挿入することができる。下側の第２のプレート６０２の穴６１２は、締結クリップ１００のサイズと一致し、そのため、締結クリップ１００が機能位置にある場合、締結スリーブ１２０は、穴６１２の下縁部６１９に当接して、第１と第２のプレート６０１、６０２を締結することができる。
【００４０】
図７Ａは、第２の厚さの２つのプレートの穴に収まった、準備位置における締結クリップ１００の断面図を示している。図７Ａに示すように、締結クリップ１００は、第１のプレート６０１の穴６１１及び第２のプレート６０２の穴６１２に挿入され、第１のプレート６０１の上面は、ベース部３０１の下面３０３に接触する。このとき、締結クリップ１００は準備位置にあり、そのため、締結クリップ１００をプレートの穴６１２に容易に摺動させることができる。またこのとき、第１と第２のプレート６０１、６０２は、締結されていない。
【００４１】
図７Ｂは、第２の厚さの２つのプレートに収まった、機能位置における締結クリップ１００の断面図を示している。図７Ｂに示すように、締結ピン１１０の頭部２１１の下面２１６は、締結スリーブ１２０のベース部３０１の上面３０２に近接する。このとき、クランプ部３２２ａ、３２２ｂ、３２２ｃ、３２２ｄは、外方に拡張し、それにより、各保持ウイングの外面は、第２のプレート６０２の穴６１２の下縁部６１９に接触し、下縁部６１９に当接する。従って、第１と第２のプレート６０１、６０２が締結される。第２の厚さの２つのプレートの総厚は大きいため、第２のプレート６０２の穴６１２の下縁部６１９は、一対の第２の保持ウイング３１２、３１４の保持ウイング下部３４２ｃ、３４２ｄに接触する。
【００４２】
図７Ａ、７Ｂにおいて締結される少なくとも２つのプレートの総厚は、第２の厚さである。図７Ｂは、機能位置における締結クリップ１００と第１と第２のプレート６０１、６０２との間の関係を示している。図７Ｂに示すように、締結クリップ１００が穴６０１、６０２に挿入され、機能位置に達すると、図７Ａに示す第２のプレート６０２の重なり部分７０１と、二対の保持ウイング３１１、３１２、３１３、３１４のそれぞれとが、変形して穴６１２に入り、それにより、二対の保持ウイング３１１、３１２、３１３、３１４のそれぞれが、第２のプレート６０２に或る特定の作用力を印加し、第２のプレート６０２及び第１のプレート６０１を押す。
【００４３】
締結クリップ１００が図７Ａに示す準備位置から図７Ｂに示す機能位置まで変化する間、操作者は締結ピン１１０を押し下げ、それにより、保持部２４１が、内方に傾斜したクランプ部３２２ａ、３２２ｂ、３２２ｃ、３２２ｄのベベルに接触し、保持部２４１がクランプ部３２２ａ、３２２ｂ、３２２ｃ、３２２ｄを外方に押し、二対の保持ウイング３１１、３１２、３１３、３１４の各々の外面が穴６１１及び６１２によって押し出されて変形する。締結ピン１１０が機能位置に達すると、二対の保持ウイング３１１、３１２、３１３、３１４の各保持ウイング上部の外面は、第２のプレート６０２の穴６１２の下縁部６１９に当接し、それにより、第１と第２のプレート６０１、６０２を押して、第１と第２のプレート６０１、６０２を締結する。
【００４４】
図７Ｂに示すように、第２の厚さの２つのプレート６０１、６０２が締結される場合、重なり部分７０１は比較的大きいため、重なり部分７０１は、より厚い保持ウイング下部３４２ａ、３４２ｂ、３４２ｃ、３４２ｄに近接し、それにより、二対の保持ウイング３１１、３１２、３１３、３１４を変形させ、重なり部分７０１が穴６１２に入るようにするのに大きな外力が必要となる。すなわち、従来の締結クリップでは、大きな押力が必要となる。本願の一実施形態において、一対の第１の保持ウイング３１１、３１３の保持ウイング下部３４２ａ、３４２ｂの厚さは、一対の第２の保持ウイング３１２、３１４の保持ウイング下部３４２ｃ、３４２ｄの厚さよりも小さく、それにより、一対の第２の保持ウイング３１２、３１４が変形して穴６１２に入るのに必要な外力が低減し、すなわち、締結クリップ１００の押力が低減する。同時に、一対の第２の保持ウイング３１２、３１４の外面は、隆起リブ３３７ｅ、３３７ｆ、３３７ｇ、３３７ｈを有する。一対の第１の保持ウイング３１１、３１３の隆起リブ３２７ｅ、３２７ｆ、３２７ｇ、３２７ｈと同様に、隆起リブ３３７ｅ、３３７ｆ、３３７ｇ、３３７ｈは、第２の厚さの第１と第２のプレート６０１、６０２に対する締結クリップ１００の締結力を増大させることができるため、第１と第２のプレート６０１、６０２が緩む可能性が少なくなる。一対の第２の保持ウイングの隆起リブ３３７ｅ、３３７ｆ、３３７ｇ、３３７ｈが締結力を増大させる原理は、一対の第１の保持ウイング３１１、３１３の隆起リブ３２７ｅ、３２７ｆ、３２７ｇ、３２７ｈが締結力を増大させる原理と同じであるため、ここで再び詳細に説明することはない。
【００４５】
締結クリップ１００が第２の厚さの少なくとも２つのプレートを締結するのに用いられる場合、一対の第１の保持ウイング３１１、３１３のクランプ部３２２ａ、３２２ｂは薄くされているため、締結クリップ１００が第２の厚さの締結されるプレートに挿入される際、一対の第１の保持ウイング３１１、３１３がより変形しやすくなり、締結クリップ１００が機能位置に達するのに必要な押力が低減する。押力が低減される一方で、２つのプレートの緩みを防ぐために、一対の第２の保持ウイング３１２、３１４の外面に隆起リブ３３７ｅ、３３７ｆ、３３７ｇ、３３７ｈも設けられる。隆起リブ３３７ｅ、３３７ｆ、３３７ｇ、３３７ｈの位置は、第２の厚さの締結されるプレートの厚さと一致し、隆起リブ３３７ｅ、３３７ｆ、３３７ｇ、３３７ｈは、第２の厚さの少なくとも２つのプレートに対する締結クリップ１００の締結力を増大させる。すなわち、一対の第１の保持ウイング３１１、３１３のクランプ部３２２ａ、３２２ｂを薄くすることと、一対の第２の保持ウイング３１２、３１４の外面に隆起リブ３３７ｅ、３３７ｆ、３３７ｇ、３３７ｈを設けることとにより、締結クリップ１００が第２の厚さの少なくとも２つのプレートを締結する場合、押力が低減し、締結力は、変化しないままであるか、或いは、締結力の要件を満たすことができるように僅かに低減することが確実になる。
【００４６】
同様に、図７Ａ、７Ｂに示す実施形態では、締結されるプレートにおける第２のプレート６０２の穴６１２の下縁部６１９は、上側隆起リブ３２７ｅ、３２７ｇのベベル３２８ｅ、３２８ｇに当接する。本願の別の実施形態において、第１と第２のプレート６０１、６０２の総厚よりも僅かに厚い締結されるプレートは、下側隆起リブ３３７ｆ、３３７ｈのベベル３２９ｆ、３２９ｈに当接して、同様の技術的効果を達成することもできる。本願の別の実施形態において、締結される２つのプレートの総厚は、下側隆起リブからベース部３０１の下面までの距離よりも大きく、それにより、プレートは、隆起リブのベベルにちょうど当接することはできないが、隆起リブ３３７ｅ、３３７ｇの頂部３３３ｅ、３３３ｇ、または、隆起リブ３３７ｆ、３３７ｈの頂部３３３ｆ、３３３ｈは、穴６１２の内面に当接する。隆起リブのない締結クリップと比較すると、一対の第２の保持ウイング３１２、３１４の変形はより大きくなるため、締結される２つのプレートが緩んで抜け落ちる可能性も少なくなる。第２の厚さの少なくとも２つのプレートが締結される場合、締結クリップ１００の二対の保持ウイングは、協働して締結力をもたらすが、一対の第２の保持ウイング３１２、３１４の、締結クリップ１００の締結力への寄与は、一対の第１の保持ウイング３１１、３１３の、締結クリップ１００の締結力への寄与よりも大きい。
【００４７】
図８は、本願の別の実施形態に係る締結クリップの斜視図である。図８に示す実施形態は、図１Ａに示す実施形態と同様であるが、ただし、図８の締結クリップ８００の二対の保持ウイング８１１、８１２、８１３、８１４上の隆起リブの数及びサイズは、図１Ａに示す締結クリップ１００のものとは異なる。図８に示すように、図１Ａに示す実施形態と同様に、締結クリップ８００の一対の第１の保持ウイング８１１、８１３の構造は、締結クリップの中心軸に対して対称であり、一対の第２の保持ウイング８１２、８１４の構造は、締結クリップの中心軸に対して対称である。一対の第１の保持ウイングの構造は、保持ウイング８１１を例として以下に記載し、一対の第２の保持ウイングの構造は、保持ウイング８１２を例として説明する。
【００４８】
保持ウイング８１１の外面は、周方向に延在する５つの隆起リブ８２７ａ〜８２７ｅを有し、５つの隆起リブは、保持ウイング８１１のベース部３０１の近くの端部において並んで配置される。５つの隆起リブの各々の構造は同じものであるため、保持ウイング８１１の外面の隆起リブの構造は、ベース部３０１に最も近い第１のリブ８２７ａを例として以下に説明する。締結クリップ１００と同様に、隆起リブ８２７ａは、上から下に連続して上側底部８３２ａ及び頂部８３１ａを有し、隆起リブ８２７ａは、上側底部８３２ａから頂部８３１ａに緩やかに移行して上側ベベル８２８ａを形成し、上側ベベル８２８ａは、少なくとも２つのプレートに当接するように用いられる。保持ウイング８１１は、比較的薄い厚さを有する少なくとも２つのプレートと協働するように用いられる。保持ウイング８１１の各隆起リブの頂部と、隣接する隆起リブの頂部との間の距離は、所定値Ｄであり、すなわち、保持ウイング８１１の５つの隆起リブは、締結クリップの軸方向に均等に分布する。
【００４９】
保持ウイング８１２の外面は、周方向に延在する６つの隆起リブ８２７ｆ〜８２７ｋを有し、６つの隆起リブは、並んで配置され、保持ウイング８１１のベース部３０１から離れた端部に位置する。６つの隆起リブ８２７ｆ〜８２７ｋの各々の構造は同じものであるため、保持ウイング８１２の外面の隆起リブの構造は、ベース部３０１に最も近い隆起リブ８２７ｆを例として以下に説明する。隆起リブ８２７ａと同様に、隆起リブ８２７ｆは、上から下に連続して上側底部８３２ｆ及び頂部８３１ｆを有し、隆起リブ８２７ｆは、上側底部８３２ｆから頂部８３１ｆに緩やかに移行して上側ベベル８２８ｆを形成し、上側ベベル８２８ｆは、少なくとも２つのプレートに当接するように用いられる。保持ウイング８１２は、比較的厚い厚さを有する少なくとも２つのプレートと協働するように用いられる。保持ウイング８１２の各隆起リブの頂部と、隣接する隆起リブの頂部との間の距離は、所定値Ｄに等しく、すなわち、保持ウイング８１２の６つの隆起リブは、締結クリップの軸方向に均等に分布する。加えて、保持ウイング８１２の外面の６つの隆起リブの中で最も高い隆起リブ８２７ｆの頂部と、保持ウイング８１１の外面の５つの隆起リブの中で最も低い隆起リブ８２７ｅの頂部との間の距離は、所定値Ｄに等しく、そのため、締結クリップ８００の軸方向において、保持ウイング８１１及び保持ウイング８１２における各々の隆起リブは、均等に分布する。同様に、締結クリップ８００の軸方向において、保持ウイング８１３及び保持ウイング８１４の各々の隆起リブは、均等に分布する。締結クリップ１００と比較すると、締結クリップ８００は、より多くのタイプの厚さの少なくとも２つのプレートに適合することができる。
【００５０】
別の実施形態において、保持ウイング８１２の外面の複数の隆起リブの中で最も高い隆起リブの高さは、保持ウイング８１１の外面の複数の隆起リブの中で最も低い隆起リブの高さよりも高く、すなわち、保持ウイング８１２の外面の複数の隆起リブの径方向における突出部は、保持ウイング８１１の外面の複数の隆起リブの径方向における突出部に重なる。上記実施形態も、締結クリップ８００の技術的効果を達成することができる。
【００５１】
締結クリップ８００の軸方向において、一対の第１の保持ウイング８１１、８１３の外面の複数の隆起リブの中で最も高い隆起リブ８２７ａの頂部と、一対の第１の保持ウイング８１２、８１４の外面の複数の隆起リブの中で最も低い隆起リブ８２７ｋの底部との間の距離Ａは、二対の保持ウイング８１１、８１２、８１３、８１４の長さの６５％を超える長さを占める。
【００５２】
少なくとも２つのプレートが締結される場合、締結されるプレートは、隆起リブの上側ベベルに当接し、締結クリップ８００の隆起リブは、数が多く、配置が密のため、締結される様々な厚さのプレートに適合することができる。他の実施形態において、隆起リブの数及びサイズは、実際の必要性に応じて設計することができる。
【００５３】
本願の締結クリップは、異なる厚さのプレート、例えば、総厚２ｍｍ〜７ｍｍのプレートに適合することができ、そのため、締結クリップが第１の厚さの少なくとも２つの薄いプレートを締結する場合、締結クリップの少なくとも２つのプレートに対する締結力は、２つのプレートの緩みを防ぐように向上される。第２の厚さの少なくとも２つの厚いプレートが締結される場合、小さな挿入力でありながら、要件を満たす締結力が保証される。当然ながら、本願の締結クリップのサイズは、少なくとも２つの一層厚いまたは一層薄いプレートに適合するように、比例して増減させることもできる。
【００５４】
本発明のいくつかの特徴のみが本明細書に例示及び記載されているが、当業者であれば、種々の改善及び変更を行うことができる。従って、添付の特許請求の範囲は、本発明の実質的な趣旨及び範囲内に入る上述の改善及び変更の全てを包含するように意図されることが理解されるべきである。
【符号の説明】
【００５５】
１００    締結クリップ
１１０    締結ピン
１１１    頭部
１２０    締結スリーブ
２１１    頭部
２１２    ピン部
２１５    上面
２１６    下面
２３０    上側部分
２４０    下側部分
２４１    保持部
２４２    締結ピンガイド部
２４５    溝
２４７    溝底部
２４８    上側側壁
２４９    下側側壁
２５１    ガイドリブ
２５２    ガイドリブ
２５３    ガイドリブ
２５４    ガイドリブ
２５７    移行部
２５８    中心柱
２６２    上部
２６３    下部
２６５    隆起部
２６６    空洞部
２６８    接触面
２６９    弾性アーム
３０１    ベース部
３０２    上面
３０３    下面
３０５    穴
３０７    中央部
３１１    第１の保持ウイング
３１２    第２の保持ウイング
３１３    第１の保持ウイング
３１４    第２の保持ウイング
３２１    隆起部
３２２    クランプ部
３２２ａ    クランプ部
３２２ｂ    クランプ部
３２２ｃ    クランプ部
３２２ｄ    クランプ部
３２３    ガイド溝
３２７ｅ    上側隆起リブ
３２７ｆ    下側隆起リブ
３２７ｇ    上側隆起リブ
３２７ｈ    下側隆起リブ
３２８ｅ    上側ベベル
３２８ｆ    上側ベベル
３２８ｇ    上側ベベル
３２８ｈ    上側ベベル
３２９ｅ    上側ベベル
３２９ｆ    上側ベベル
３２９ｇ    上側ベベル
３２９ｈ    上側ベベル
３３１ｅ    頂部
３３１ｆ    頂部
３３１ｇ    頂部
３３１ｈ    頂部
３３２ｃ    クランプ部
３３２ｅ    上側底部
３３２ｇ    頂部
３３３ｅ    頂部
３３３ｆ    頂部
３３３ｇ    頂部
３３３ｈ    頂部
３３７ｅ    隆起リブ
３３７ｆ    下側隆起リブ
３３７ｇ    隆起リブ
３３７ｈ    下側隆起リブ
３４１ａ    保持ウイング上部
３４１ｂ    保持ウイング上部
３４１ｃ    保持ウイング上部
３４１ｄ    保持ウイング上部
３４２ａ    保持ウイング下部
３４２ｂ    保持ウイング下部
３４２ｃ    保持ウイング下部
３４２ｄ    保持ウイング下部
３４５ａ    内面
３４５ｂ    内面
３４５ｃ    内面
３４５ｄ    内面
３４６ａ    外面
３４６ｂ    外面
３４６ｃ    外面
３４６ｄ    外面
３４８ａ    締結スリーブガイド部
３４８ｂ    締結スリーブガイド部
３４８ｃ    締結スリーブガイド部
３４８ｄ    締結スリーブガイド部
３５１    凹部
３５２    凹部
３６１ａ    爪
３６１ｂ    爪
３６１ｃ    爪
３６１ｄ    爪
３７１ａ    外面
３７１ｂ    外面
３７１ｃ    外面
３７１ｄ    外面
４０１    第１のプレート
４０２    第２のプレート
４１１    穴
４１２    穴
４１９    下縁部
５０１    部分
６０１    第１のプレート
６０１    プレート
６０２    第２のプレート
６１１    穴
６１２    穴
６１９    下縁部
７０１    部分
８００    締結クリップ
８１１    第１の保持ウイング
８１２    第２の保持ウイング
８１３    第１の保持ウイング
８１４    第２の保持ウイング
８２７ａ    隆起リブ
８２７ｂ    隆起リブ
８２７ｃ    隆起リブ
８２７ｄ    隆起リブ
８２７ｅ    隆起リブ
８２７ｆ    隆起リブ
８２７ｇ    隆起リブ
８２７ｈ    隆起リブ
８２７ｉ    隆起リブ
８２７ｊ    隆起リブ
８２７ｋ    隆起リブ
８２８ａ    上側ベベル
８２８ｆ    上側ベベル
８３１ａ    頂部
８３１ｆ    頂部
８３２ａ    上側底部
８３２ｆ    上側底部
【図１Ａ】
2020204400.tif 000003
【図１Ｂ】
2020204400.tif 000004
【図２Ａ】
2020204400.tif 000005
【図２Ｂ】
2020204400.tif 000006
【図２Ｃ】
2020204400.tif 000007
【図２Ｄ】
2020204400.tif 000008
【図３Ａ】
2020204400.tif 000009
【図３Ｂ】
2020204400.tif 000010
【図３Ｃ】
2020204400.tif 000011
【図３Ｄ】
2020204400.tif 000012
【図３Ｅ】
2020204400.tif 000013
【図４】
2020204400.tif 000014
【図５Ａ】
2020204400.tif 000015
【図５Ｂ】
2020204400.tif 000016
【図６】
2020204400.tif 000017
【図７Ａ】
2020204400.tif 000018
【図７Ｂ】
2020204400.tif 000019
【図８】
2020204400.tif 000020